(57)【要約】【課題】  短時間の動画記録を解消すると共に、静止画記録用の操作手段を省略する。【解決手段】  操作スイッチ（４２）の録画スイッチの操作に応じて、動画を記録媒体に記録する。ＣＰＵ（４０）は各動画の撮影時間を計測する。Ｔ１より短時間の動画記録があると、ＣＰＵ（４０）は、画像処理装置（３２）にその動画から静止画を生成させ、記録媒体（３８）に記録させる。そして、元の動画を記録媒体（３８）から消去する。【選択図】  図２
2009218853.tif 000002
【特許請求の範囲】
【請求項１】
動画を記録媒体に記録する手段と、
前記動画が短時間撮影のものか否かを判定する手段と、
前記短時間撮影の動画から静止画を生成する静止画生成手段と、
前記静止画を前記記録媒体に記録する手段
とを具備することを特徴とする画像処理装置。
【請求項２】
更に、前記静止画を生成された前記動画を前記記録媒体から消去する手段を具備することを特徴とする画像処理装置。
【請求項３】
前記静止画生成手段は、手ぶれ補正処理、高感度化処理、ダイナミックレンジ拡大処理、Ｓ／Ｎ改善処理、及び高解像度化処理の何れかにより前記静止画を生成することを特徴とする請求項１又は２に記載の画像処理装置。
【発明の詳細な説明】
【技術分野】
【０００１】
本発明は、動画像静止画像を記録する画像記録装置における画像処理装置に関する。
【背景技術】
【０００２】
動画像と静止画像の両方を記録可能なビデオカメラが知られている（例えば、特許文献１、２参照）。図１０は、動画像と静止画像の両方を記録可能なビデオカメラの外観図を示す。カメラ本体１１０の正面に撮影レンズ１１２がある。撮影画像／再生画像／操作内容を表示する表示部１１４を有する表示ユニット１１６が、カメラ本体１１０の側面に回転可能に軸支されている。カメラ本体１１０の反対側面には、カメラ本体１１０を撮影者が保持するためのグリップベルト１１８が装備されている。カメラ本体１１０の上面にズームスイッチ２０と静止画記録スイッチ１２２が配置される。カメラ本体１１０の背面に、動画記録／停止スイッチ１２４が配置されている。
【０００３】
動画記録／停止スイッチ１２４を押すことで、動画記録が開始され、再び動画記録／停止スイッチ１２４を押すことで、動画撮影を停止する。静止画記録スイッチ１２２を押すと、その時点の撮影画像が静止画として記録される。このようにして、動画と静止画を互いに独立に同じ又は別々の記録媒体に記録できる。
【特許文献１】特開２０００-２２４４６０号公報
【特許文献２】特公平７-３８７０１号公報
【発明の開示】
【発明が解決しようとする課題】
【０００４】
従来のビデオカメラでは、静止画記録スイッチ１２２と動画記録／停止スイッチ１２４を異なる場所に配置するので、ユーザは、操作のために指の位置を変更しなければならず、操作が煩わしかった。
【０００５】
また、短時間の動画を撮影した場合、再生の際、中途半端な長さの動画として再生され、観賞する際に煩わしく感じてしまう。
【０００６】
他方、静止画に対しては、動画の複数カットに対する様々な画像処理による効果を得られなかった。
【０００７】
本発明は、このような不都合を解消した画像処理装置を提示することを目的とする。
【課題を解決するための手段】
【０００８】
本発明に係る画像処理装置は、動画を記録媒体に記録する手段と、前記動画が短時間撮影のものか否かを判定する手段と、前記短時間撮影の動画から静止画を生成する静止画生成手段と、前記静止画を前記記録媒体に記録する手段とを具備することを特徴とする。
【発明の効果】
【０００９】
本発明によれば、短時間の動画から自動的に静止画を生成して記録するので、動画でなく、静止画で被写体を確認できる。また、動画撮影の操作で静止画を記録できることにもなり、静止画撮影の操作性が向上する。
【発明を実施するための最良の形態】
【００１０】
以下、図面を参照して、本発明の実施例を詳細に説明する。
【実施例１】
【００１１】
図１は、本発明の一実施例を実装したビデオカメラの外観斜視図を示し、図２は、概略構成ブロック図を示す。カメラ本体１０の正面に撮影レンズ１２がある。撮影画像／再生画像／操作内容を表示する表示部１４を有する表示ユニット１６が、カメラ本体１０の側面に回転可能に軸支されている。カメラ本体１０の反対側面には、カメラ本体１０を撮影者が保持するためのグリップベルト１８が装備されている。カメラ本体１０の上面にズームスイッチ２０が配置されている。カメラ本体１０の背面に、操作モード切替えスイッチ２２、録画スイッチ（動画用）２４及び静止画モードダイヤル２６が配置されている。
【００１２】
操作モード切替えスイッチ２２は、録画スイッチ（動画用）２４による操作を、長時間撮影用の操作と短時間撮影用の操作で切り替えるスライドスイッチである。長時間撮影に対応する長時間撮影モード撮影を長く継続する継続撮影モードとも言える。他方、短時間撮影に対応する短時間撮影モードは、短期の撮影（録画）を繰り返す間欠撮影モードとも言える。長時間撮影モード又は継続撮影モードでは、操作モード切替えスイッチ２２をｋ方向にスライドさせる。短時間撮影モード又は間欠撮影モードでは、操作モード切替えスイッチ２２をｊ方向にスライドさせる。継続撮影モードでは、録画スイッチ（動画用）２４を押されている間のみ、動画が録画される。間欠撮影モードでは、録画スイッチ（動画用）２４を押されると動画の録画が開始し、押しが開放された後に再び押されると、録画が停止する。このように、本実施例では、録画スイッチ（動画用）２４による動画録画方法を、操作モード切替えスイッチ２２により切り替えることができる。
【００１３】
静止画モードダイヤル２６により、動画から静止画を生成する際の生成方法を選択できる。本実施例では、５種類のモードａ，ｂ，ｃ，ｄ，ｅ、具体的には、手ぶれ補正処理（又は高感度化処理）、Ｓ／Ｎ改善処理、高解像度化処理、ダイナミックレンジ拡大処理、及び、先頭コマの選択の５種類から、動画から静止画を作成する方法を選択できる。なお、前者の４つの効果の処理内容自体は、例えば、特開２０００−２２４４６０号公報及び特公平７−３８７０１号などに記載されている。
【００１４】
手ぶれ補正処理は、手ぶれの影響が少ないシャッタスピードで撮影されていることが前提となる。当然、手ぶれは防止されるが、被写体が暗くなりがちである。そこで、撮影された動画の複数コマを合成画像処理し、適正な明るい画像を得る。このとき、手ぶれの影響で、複数コマの撮影エリアが微妙に変わってしまうが、それも画像処理で位置合わせしてから、合成を行う。暗い場所でも撮影可能になることから、高感度化処理とも呼ばれている。
【００１５】
Ｓ／Ｎ改善処理では、複数コマを加算平均化する。一般的に複数コマの撮影画像に乗るノイズは、ランダムであって相関が無い。従って、複数コマの画像信号を加算し平均化することによって、ノイズを低減できるからである。
【００１６】
高解像度化処理では、画素をずらした撮影画像を合成することによる解像度の向上を狙う技術である。手持ちで複数コマの画像を撮影すると、手ぶれのために僅かに撮影エリアがずれる。撮影エリアがずれた複数コマの画像を合成することにより、あたかも、意図的に画素をずらして撮影した画像を合成した場合と同様の効果が得られる。即ち、実際の撮像素子の画素数より高解像度の画像を得ることが可能となる。
【００１７】
ダイナミックレンジ拡大処理では、複数コマの画像信号を加算し、平均化する。この処理により、シャドーの階調が増え、結果的に、ダイナミックレンジが拡大する。また、画像のシャドー部分とハイライト部分を切り出し、シャドー部分は、ハイライト部分より余計に画像信号を加算することでも、ダイナミックレンジを拡大できる。
【００１８】
最も簡略な方法として、動画の先頭コマを静止画として抽出する。これは、特別な画像処理を必要としないが、シャッタチャンスに近い先頭コマが操作者の希望するシーンに近いと推測されるからである。
【００１９】
撮像素子３０は、撮影レンズ１２による光学像を画像信号に変換する。画像処理装置３２は、画像メモリ３４を利用して、撮像素子３０からの画像信号から所定形式の画像データを生成する。その際、画像処理装置３２は、撮像素子３０からの画像信号にガンマ変換、色バランス調整及び色変換等のビデオカメラで周知の処理を施す。
【００２０】
表示手段３６は、表示部１４及び電子ビューファインダからなり、画像処理装置３２で処理された画像データを画像として表示する。これにより、操作者又は撮影者は、録画されている画像を視覚的に確認できる。
【００２１】
記録媒体３８は、記録可能光ディスク、ハードディスク、又は、不揮発性メモリからなるメモリカード等からなる。ＣＰＵ４０からの制御下で、画像処理装置３２で処理された画像データが記録媒体３８に記録される。また、記録媒体３８に記録された画像データは読み出されて、画像処理装置３２を介して表示手段３６に供給される。これにより、記録媒体３８から読み出された再生画像が、表示部１４に表示される。
【００２２】
操作スイッチ４２は、操作モード切り替えスイッチ２２、録画スイッチ（動画用）２４、静止画モードダイヤル２６及びその他の操作キーからなる。ＣＰＵ４０は、操作スイッチ４２の操作に応じて、撮影レンズ１２、撮像素子３０、画像処理装置３２、画像メモリ３４、表示手段３６及び記録媒体３８の動作を制御する。
【００２３】
図３は、ＣＰＵ４０の特徴的な制御動作のフローチャートを示す。図４は、本実施例による静止画候補シーン選択のイメージ図を示す。
【００２４】
ＣＰＵ４０はまず、操作モード切替えスイッチ２２の位置を判断する。操作モード切替えスイッチ２２がｊ位置（短時間撮影モード）にある場合、録画スイッチ２４がオンになると（Ｓ２）、動画記録を開始する（Ｓ３）。そして、録画スイッチ２４がオフになると（Ｓ４）、動画記録を停止する（Ｓ５）。即ち、録画スイッチ２４が押されている間、動画が記録されることになる。録画スイッチ２４がオンになるまでは、ステップＳ１に戻り、操作モード切替えスイッチ２２を確認する。
【００２５】
他方、操作モード切替えスイッチ２２がｋ位置（長時間撮影モード）にある場合、録画スイッチ２４がオンになると（Ｓ１０）、動画記録を開始する（Ｓ１１）。そして、録画スイッチ２４が一度、オフになり（Ｓ１２）、再度、オンになると（Ｓ１３）、動画記録を停止する（Ｓ５）。即ち、録画スイッチ２４が押されれると、動画の記録が開始され、一旦、オフにされた後に、再度、オンにされると、動画の記録を停止する。操作者は、動画記録中に、録画スイッチ２４から指を離すことができる。
【００２６】
動画記録を停止した後（Ｓ５）、ＣＰＵ４０は、その記録時間が所定時間（Ｔ１）より短いかどうかを判定する（Ｓ６）。記録時間がＴ１以上の場合（Ｓ６）、ステップＳ１に戻る。記録時間がＴ１より短い場合（Ｓ６）、直前に記録した動画から１又は複数のコマ（フレーム）を抽出し、静止画を生成する（Ｓ７）。その際、静止画モードダイヤル２６により予め指定された何れかの方法で、静止画を生成する。
【００２７】
図４は、６つのシーン１〜６が録画された場合の各シーンの撮影時間（記録時間又はシーン時間）を示す。横軸は撮影時間を示す。図４に示す例では、所定時間Ｔ１より短いシーン１、４に対して、静止画を生成することになる。生成した静止画を記録媒体３８に記録し（Ｓ８）、対象とした動画の記録を記録媒体３８から消去する（Ｓ９）。
【００２８】
このように、本実施例では、撮影された動画シーンが所定時間より短い場合、その動画シーンの１又は複数のコマを使って静止画を生成し記録する。短時間の動画撮影を静止画撮影目的と見なすことに相当する。これにより、単一の録画スイッチ２４で動画撮影と静止画撮影を指示することができ、操作性が向上する。また、短い動画シーンを簡略な静止画に変換して記録するので、事後の再生による閲覧・確認も容易になる。動画で利用される複数カットを利用することで、視覚的に有用な効果も得ることができる。
【実施例２】
【００２９】
図５は、本発明の第２実施例を実装したビデオカメラの外観斜視図を示す。図５に示す実施例では、カメラ本体１０ａに、カメラ本体１０に装備される部材に更に、スイッチ５０，５２，５４，５６が追加されている。第１実施例と同じ構成要素には同じ符号を付してある。
【００３０】
カーソルスイッチ５０は、表示部１４の表示画面のカーソルを上下左右に動かす４個の操作スイッチである。サムネイルスイッチ５２は、サムネイルの表示を指示するスイッチである。シーン選択スイッチ５４は、シーンの選択に使用されるスイッチである。静止画生成用動画削除スイッチ５６は、静止画を生成した動画の削除を指示するスイッチである。
【００３１】
図８は、第２実施例の画像記録時の動作フローチャートを示す。ステップＳ９が削除されている点のみが、図３とは異なる。即ち、短時間の動画から静止画を生成し、記録した時点で、動画（静止画用動画）を残し、残した動画を削除するか否かをユーザに問い合わせるようにした。
【００３２】
図９は、静止画用動画を削除する際の動作フローチャートを示す。サムネイルスイッチ５２がオンかどうかを調べる（Ｓ２１）。サムネイルスイッチ５２がオンになると（Ｓ２１）、記録媒体３８に記録される画像（動画と静止画）のサムネイルを表示部１４に表示する（Ｓ２２）。
【００３３】
カーソルスイッチ５０がオンであれば（Ｓ２３）、表示部１４に表示されるカーソルを画面上で移動し（Ｓ２４）、シーン選択スイッチ５４がオンかどうかを判断する（Ｓ２５）。シーン選択スイッチ５４がオンでなければ（Ｓ２５）、ステップＳ２３に戻る。シーン選択スイッチ５４がオンであれば（Ｓ２５）、静止画生成用動画削除スイッチ５６がオンかどうかを調べる（Ｓ２６）。
【００３４】
カーソルスイッチ５０がオフの場合（Ｓ２３）、シーン選択スイッチ５４がオンかどうかを判断する（Ｓ２９）。シーン選択スイッチ５４がオンでなければ（Ｓ２９）、ステップＳ２３に戻る。シーン選択スイッチ５４がオンであれば（Ｓ２９）、静止画生成用動画削除スイッチ５６がオンかどうかを調べる（Ｓ２６）。
【００３５】
静止画生成用動画削除スイッチ５６がオンの場合（Ｓ２６）、カーソルで指定されている動画を削除する（Ｓ２７）。サムネイルスイッチ５２がオンであれば（Ｓ２８）、表示部１４の画面からサムネイル表示を消去して、ステップＳ２１に戻る。サムネイルスイッチ５２がオフであれば（Ｓ２８）、ステップＳ２３に戻る。
【００３６】
図７は、静止画用動画を削除する前の、静止画生成用動画削除モードサムネイル表示画面例を示す。図８は、静止画用動画を削除した後の、静止画生成用動画削除モードサムネイル表示画面例を示す。表示部１４の表示画面６０内に、静止画関連シーン表示枠６２、６４が表示される。カーソルで選択されたシーンに対する静止画関連シーン表示枠６４は、非選択のシーンに対する静止画関連シーン表示枠６２とは表示態様（太さ、色等）が異なる。記録媒体３８に記録される各動画と各静止画は、サムネイル画像６６により代表的に表示される。
【００３７】
図６に示す記録処理が終了した時点では、図８に示すように、シーン１に対して動画と静止画が記録されている。また、シーン４の動画記録時間も所定時間Ｔ１より短いので、動画と静止画が記録されている。これに対し、シーン１に対して図７に示すフローで動画を削除すると（Ｓ２７）、図８に示すように、シーン１の動画が記録媒体３８から削除される。静止画関連シーン表示枠６４も消去される。
【００３８】
図７に示すフローは、静止画を自動生成した動画に対して機能するものであり、動画のみからなるシーン２，３，５，６に対しては、図８に示す消去機能は機能しない。カーソル移動（S２４）でも、動画のみからなるシーンを選択できない。
【００３９】
本実施例では、短時間録画された動画から静止画を生成した後、ユーザの選択により元の動画を消去するので、必要の無い動画のみを選択的に消去できる。これにより、重要な短時間の動画の誤消去を防止できる。
【図面の簡単な説明】
【００４０】
【図１】本発明の第１実施例の外観斜視図である。
【図２】第１実施例の概略構成ブロック図である。
【図３】第１実施例の動作フローチャートである。
【図４】複数の動画シーンの撮影時間例である。
【図５】本発明の第２実施例の外観斜視図である。
【図６】第２実施例の画像記録時の動作フローチャートである。
【図７】第２実施例の静止画用動作の削除動作のフローチャートである。
【図８】図６に示すフローの終了時点でのサムネイル表示例である。
【図９】図７に示すフローの終了時点でのサムネイル表示例である。
【図１０】従来のビデオカメラの外観斜視図である。
【符号の説明】
【００４１】
１０，１０ａ・・・カメラ本体
１２・・・撮影レンズ
１４・・・表示部
１６・・・表示ユニット
１８・・・グリップベルト
２０・・・ズームスイッチ
２２・・・操作モード切り替えスイッチ
２４・・・録画スイッチ（動画用）
２６・・・静止画モードダイヤル
３０・・・撮像素子
３２・・・画像処理手段
３４・・・画像メモリ
３６・・・表示手段
３８・・・記録媒体
４０・・・ＣＰＵ
４２・・・操作スイッチ
５０・・・カーソルスイッチ
５２・・・サムネイルスイッチ
５４・・・シーン選択スイッチ
５６・・・静止画生成用動画削除スイッチ
６０・・・表示画面
６２・・・静止画関連シーン表示枠
６４・・・静止画関連シーン表示枠（カーソル選択状態）
６６・・・サムネイル画像
１１０・・・カメラ本体
１１２・・・撮影レンズ
１１４・・・表示部
１１６・・・表示ユニット
１１８・・・グリップベルト
１２０・・・ズームスイッチ
１２２・・・静止画記録スイッチ
１２４・・・動画記録／停止スイッチ
【図１】
2009218853.tif 000003
【図２】
2009218853.tif 000004
【図３】
2009218853.tif 000005
【図４】
2009218853.tif 000006
【図５】
2009218853.tif 000007
【図６】
2009218853.tif 000008
【図７】
2009218853.tif 000009
【図８】
2009218853.tif 000010
【図９】
2009218853.tif 000011
【図１０】
2009218853.tif 000012